(57)【要約】【課題】男子小便器排便管や熱交換器等の小内径金属管の管内面に付着した尿石やスケールを管内面から若干の厚みを残して除去できる管内清掃器具を得る。【解決手段】中空胴体と、該胴体の先端と後端とを結ぶ直線上に連結された液体注入用器体と、該胴体に気密封止に貫通する回転軸と、該注入用器体の出口開口部に螺着された可撓性を有する金属製スネークチューブと、該チューブの中を通りその一端は該注入用器体内に張出した該回転軸の一端に係合され且つ他端は該チューブから所要長さ張出したスプリングワイヤとからなり、該ワイヤの他端に固設された固定子と、該固定子に対して同一平面内で首振自在に搖動連結され且つ肩部に切削鰭板を一体に張出形成した管内面切削用胴体と、該切削用胴体に対して該切削用胴体の搖動方向と直角方向の同一平面内で首振自在に搖動連結され且つ円錐形状の表面に螺旋状の切込溝を形成した導入切削用頭部とを設ける。【選択図】　　　図１
2004042002.tif 000002
【特許請求の範囲】
【請求項１】
所要の長さの中空胴体１と、該中空胴体１の先端４と後端５とを結ぶ直線延長上に連結された液体注入用器体７と、該胴体１に気密封止に貫通する回転自在の回転軸１２と、該液体注入用器体７の出口開口部９に螺着された可撓性を有する所要長さの金属製スネークチューブ１５と、該スネークチューブ１５の中を通りその一端は該液体注入用器体７内に張出した該回転軸１２の一端に係合され且つ他端は該スネークチューブ１５から所要長さ張出したスプリングワイヤ１７とからなることを特徴とする男子小便器排便管や熱交換器等の小内径金属管の管内清掃器具。
【請求項２】
前記スネークチューブ１５の他端から所要長さ張出したスプリングワイヤ１７の他端に固設された固定子２８を有する請求項１記載の男子小便器排便管や熱交換器等の小内径金属管の管内清掃器具。
【請求項３】
前記固定子２８に対して同一平面内で首振自在に搖動連結され且つ肩部に切削鰭板２３を一体に張出形成した管内面切削用胴体２４と、該管内面切削用胴体２４に対して該管内面切削用胴体２４の搖動方向と直角方向の同一平面内で首振自在に搖動連結され且つ円錐形状の表面に螺旋状の切込溝１８を形成した導入切削用頭部２０とを備えた請求項２記載の男子小便器排便管や熱交換器等の小内径金属管の管内清掃器具。
【請求項４】
前記液体注入用器体７には、水又は洗浄剤その他の適当な薬品を溶かした液体が注入される請求項１〜３のいずれかに記載の男子小便器排便管や熱交換器等の小内径金属管の管内清掃器具。
【請求項５】
前記前記胴体１の先端４から外部に張出する回転軸１２の軸端３１に正逆回転可能な電気ドリル３２等の外部回転駆動体に接続した請求項１〜４のいずれかに記載の男子小便器排便管や熱交換器等の小内径金属管の管内清掃器具。
【発明の詳細な説明】
【０００１】
【発明の属する技術分野】
本発明は、男子小便器排便管に付着してこびりついた尿石を初め、熱交換器等の管（チューブ）内のスケールを簡易迅速に除去できるようにした小内径金属管の管内清掃器具に関するものである。
【０００２】
【従来の技術】
男子小便器排便管は、その小便器に排尿される小便を下水管に排出する継管の役目を有するものであるが、該排便管は、内径が小さく、又、用足し後の小便器に水を流さなかったり、流してもその流す水量が十分でないと、小便の通った後に付着した尿の乾燥により尿に含まれる尿酸や老廃物質が乾燥し、それによって薄い膜となった尿石が排便管の内面に付着し、それが永年の使用による尿の濡れと乾燥の度重なる繰り返しにより管内面に固形化して次第に堆積して肥大化した尿石層となって排水路を狭め、最後には管内を閉塞する事態となる。
【０００３】
そのために、従来は、管内の尿石層による肥大化部分や閉塞部分に洗浄剤を投入して、その肥大部分や閉塞部分の尿石層を溶融して管の有効径を回復しようとする試みがなされてきた。
【０００４】
しかし、その尿石層は、投入された洗浄剤その他の溶剤によってその表面は溶けるものの大部分は溶けないで残ってしまうことが多く、又、その溶けた尿石もその周囲に流れて付着し、それがすぐに固まってしまうことが普通であり、最終的には小便器排便管全体を含む配管の交換に至り、多額の費用を必要とすると共に露出配管とならざるを得ない外、工事期間も長期を要していた。
【０００５】
また、熱交換器等の管（チューブ）内に付着したスケールを排除するには、針金等の細い金属線の先に布切れやブラシを取り付け、それを管内に押し込んで細かな前後移動を繰り返しながら前進させ、その運動過程で、その布切れやブラシの摩擦力によりスケールをこすりとっているのが常套手段であった。
【０００６】
しかし、その手法では、充分な接触力が得られず、そのために、払拭にムラがあり、又、多くの場合、取り残し部分があるのが普通であった。
【発明が解決しようとする課題】
そこで、本発明は、男子小便器排便管の場合には、その管内面に付着してこびりついた尿石を、その管内壁面の損傷を避けるために、管内面から若干の厚みを残して簡易迅速にして能率的に除去できる管内清掃器具を得ようとするものである。
【０００７】
また、熱交換器等の管（チューブ）の場合には、その管内面に付着したスケールを簡易迅速にして能率的に取り残しやムラなくきれに除去できる管内清掃器具を得ようとするものである。
【０００８】
【課題を解決するための手段】
本発明は上記の如き観点に鑑みてなされたものであって、その主たる構成は、所要の長さの中空胴体と、該中空胴体の先端と後端とを結ぶ直線延長上に連結された液体注入用器体と、該胴体に気密封止に貫通する回転自在の回転軸と、該液体注入用器体の出口開口部に螺着された可撓性を有する所要長さの金属製スネークチューブと、該スネークチューブの中を通りその一端は該液体注入用器体内に張出した該回転軸の一端に係合され且つ他端は該スネークチューブから所要長さ張出したスプリングワイヤとからなり、適宜、前記スネークチューブの他端から所要長さ張出したスプリングワイヤの他端に固設された固定子に対して同一平面内で首振自在に搖動連結され且つ肩部に切削鰭板を一体に張出形成した管内面切削用胴体と、該管内面切削用胴体に対して該管内面切削用胴体の搖動方向と直角方向の同一平面内で首振自在に搖動連結され且つ円錐形状の表面に螺旋状の切込溝を形成した導入切削用頭部とを備えた男子小便器排便管や熱交換器等の小内径金属管の管内清掃器具を提供しようとするものである。
【０００９】
【発明の実施の態様】
次に、図面を参照しながら説明する。
図１は本発明一実施例の男子小便器排便管の管内清掃器具の構成を示す縦断面図であって、その切削動作先端部の連結部の相対的な首振り可能方向も示されている。図２は同管内清掃器具の一部を構成する導入切削用頭部の平面図、図３は同頭部が管内面切削用胴体に対して連結する部分の縦断面図、図４は同管内清掃器具の一部を構成する管内面切削用胴体の平面図、図５は同胴体がスプリングワイヤの固定子に対して連結する部分の縦断面図、図６は同スプリングワイヤの固定子を示す平面図、図７は男子小便器排便管の一例において、その管内清掃の対象になる区間を示す縦断面図、図８は男子小便器排便管の他の例において、その管内清掃の対象になる区間を示す縦断面図である。
【００１０】
先ず、図１乃至図６を参照しながら、男子小便器排便管の管内清掃器具の構成を詳細に説明する。
所要の長さの中空胴体１を設け、該胴体１の外面中央部には把持用ハンドル２が一体的に取り付けられている。そして、該胴体１には、中心に回転軸挿通孔が開穿されたキャップ３がその先端４に螺着され、後端５には一体に形成された肉厚の内側フランジ６の口部内側に液体注入用器体７の入口開口部８が螺着されている。該器体７には、その後端に該胴体１の先端４と後端５とを結ぶ直線延長上に出口開口部９が設けられていると共に器体胴部中央に液体注入口１０が形成され、該注入口１０はキャップ１１によって開閉栓される。
【００１１】
前記胴体１の先端４の回転軸挿通孔から後端５の液体注入用器体７の入口開口部８を貫通する回転軸１２が回転自在に嵌合されている。そして、該回転軸１２の後端部に該胴体１の内面に接触する面板１３が一体に形成され、前記内側フランジ６側に対面する面板１３の片側にはパッキング１４が接着されている。
【００１２】
前記液体注入用器体７の出口開口部９には、可撓性を有する所要長さの金属製スネークチューブ１５の一端部が締具１６により緊着され、該スネークチューブ１５の中にはスプリングワイヤ１７が通っており、そのスプリングワイヤ１７の一端は、前記液体注入用器体７の中に張出する回転軸１２の先端部に係合されている。
【００１３】
他方、先端角度が約７０°の円錐形状を有し、その表面に螺旋状の切込溝１８とスカート１９とを一体に形成した導入切削用頭部２０が設けられ、該スカート１９にはピン孔２１が穿設されている。
【００１４】
又、前記導入切削用頭部２０のスカート１９内に挿入位置させる連結子２２を先端に有し肩部に切削鰭板２３を一体に張出形成した管内面切削用胴体２４を、その連結子２２の中心に開穿したピン孔２５と前記導入切削用頭部２０のピン孔２１とにピン２６を貫通させ、以って該導入切削用頭部２０を管内面切削用胴体２４に対して同一平面内で首振自在に搖動連結されている。そして、前記管内面切削用胴体２４の後端承部には、前記連結子２２のピン孔開穿方向とは直角方向にピン孔２７が孔設されている。
【００１５】
更に、前記スネークチューブ１５の他端から、例えば、３０ｃｍ程度延在させたスプリングワイヤ１７の他端には固定子２８が固設されており、該固定子２８を前記管内面切削用胴体２４の後端承部に差し入れ、該固定子２８に設けられたピン孔２９と前記管内面切削用胴体２４のピン孔２７との位置合わせをしてからピン３０を差込み、以って該管内面切削用胴体２４をスプリングワイヤ１７の固定子２８に対して、前記導入切削用頭部２０の搖動方向とは直角方向の同一平面内で首振自在に連結されている。
【００１６】
以上のように、導入切削用頭部２０と管内面切削用胴体２４の搖動方向が互いに直角方向の平面内で首振り可能に構成されているので、スプリングワイヤ１７の固定子２８に対して該導入切削用頭部２０と管内面切削用胴体２４は、該スプリングワイヤ１７が回転すると、ユニバーサルジョイントの如き曲折方向が変幻自在に変化できる。
【００１７】
次に、上記実施例の管内清掃器具を使用して男子小便器排便管の管内清掃作業の段取りについて説明する。
作業開始に先立ち、前記胴体１の先端４から外部に張出する回転軸１２の軸端３１に正逆回転可能な外部回転駆動体、例えば、電源に接続した電気ドリル３２の回転軸に差し込み連結し、そして、前記液体注入用器体７の液体注入口１０のキャップ１１を開栓し、別に用意されている水又は洗浄剤その他の適当な薬品を溶かした液体を、その液体注入口１０に注入する準備をする。
【００１８】
上記のように準備されたところで、図７及び図８に示されたような例の男子小便器排便管Ａの横引管Ｂに至るまでの過程において、尿石で閉塞した清掃区間Ｃを清掃する場合には、小便器を取り外し、排便管Ａの口部に導入切削用頭部２０を差し入れる。そこで、胴体１の把持用ハンドル２を手に持って電気ドリル３２を正回転方向に作動させてスプリングワイヤ１７を正回転させると、該導入切削用頭部２０は前記管内面切削用胴体２４を介して一体的に正回転する。
【００１９】
前記スプリングワイヤ１７の回転により、円錐状に先が尖った表面に螺旋状の切込溝１８を有する導入切削用頭部２０は、排便管Ａの清掃区間Ｃの閉塞部分に食い込みながら前進し、その後に続く共回りの管内面切削用胴体２４の切削鰭板２３が管内壁面に付着してこびりついた尿石を、その管内壁面の損傷を避けるために管内面から若干の厚みを残して削り取る。
【００２０】
それと同時に、水又は洗浄剤その他の適当な薬品を溶かした液体を前記液体注入口１０に注入する。注入された液体は、スネークチューブ１５の他端から流出して切削進行中の最先端へと送入して切削作業を円滑に進めると共に切削屑を洗い出しながら管内を洗浄する。
【００２１】
前記切削しながら、例えば、３０ｃｍ程度前進したところで、電気ドリル３２を逆回転方向に作動させて、スプリングワイヤ１７を逆回転させながら、該電気ドリル３２を前記胴体１に対して手前に引き寄せると、前記回転軸１２はパッキング１４により気密封止された面板１３と一体になって該胴体１の中を手前方向に逆回転運動しながら移動し、それと一体に連動する導入切削用頭部２０と管内面切削用胴体２４は逆回転しながら後退移動する。
【００２２】
前記の如く、管内を前進しながら侵入し時に後退移動する導入切削用頭部２０と管内面切削用胴体２４は、回転が与えられたときには曲折方向が変幻自在に変化できるので、スネークチューブ１５の可撓性と相俟って曲折した管部でもその形状に追随して自由に移動することが可能である。
【００２３】
その上、前記スプリングワイヤ１７は、金属製スネークチューブ１５の中を通っているので、切削作業中、該スプリングワイヤ１７の移動方向に対して大きく蛇行変動することが一切なく、頗る安定した回転力を伝達することができる。
【００２４】
上記の切削作業を完了した後は、前記作業開始に先立って処置した器具を全て取り外して原状に復して男子小便器排便管の清掃作業は完了する。
【００２５】
上記においては男子小便器排便管の清掃の場合について説明したが、熱交換器等の管（チューブ）の場合には、上記の場合における導入切削用頭部２０と管内面切削用胴体２４をスプリングワイヤ１７の他端の固定子２８から取り外して、それに代わり、適当なワイヤブラシ又はブラシなどの払拭具を取り付ける。その払拭具を管内に入れて、前述と同様の動作を行えば、該管内の清掃を簡単に行うことができる。
【００２６】
【発明の効果】
以上の説明により明らかなように、本発明によれば、男子小便器排便管の場合には、その管内面に付着した尿石を管内壁面を損傷させずに簡易迅速にして能率的に除去して流し出すことができるから、管内清掃の仕上げ状態が極めて良好に行えので、作業の信頼性の向上と省力化に多大の寄与をすることができる。
【００２７】
また、熱交換器等の管（チューブ）の場合には、金属製スネークチューブの先端の切削器具を払拭具に代えるだけで、該管内面に付着したスケールを簡易迅速にして能率的に取り残しやムラなくきれに払拭除去することができる。
【図面の簡単な説明】
【図１】本発明一実施例の男子小便器排便管の管内清掃器具の構成を示す縦断面図であって、その切削動作先端部の連結部の相対的な首振り可能方向も示されている。
【図２】本発明一実施例の男子小便器排便管の管内清掃器具の一部を構成する導入切削用頭部の平面図である。
【図３】本発明一実施例の男子小便器排便管の管内清掃器具の一部を構成する導入切削用頭部が管内面切削用胴体に対して連結する部分の縦断面図である。
【図４】本発明一実施例の男子小便器排便管の管内清掃器具の一部を構成する管内面切削用胴体の平面図である。
【図５】本発明一実施例の男子小便器排便管の管内清掃器具の一部を構成する胴体がスプリングワイヤに対して連結する部分の縦断面図である。
【図６】本発明一実施例の男子小便器排便管の管内清掃器具の一部を構成するスプリングワイヤの固定子を示す平面図である。
【図７】男子小便器排便管の一例において、その管内清掃の対象になる区間を示す縦断面図である。
【図８】男子小便器排便管の他の例において、その管内清掃の対象になる区間を示す縦断面図である。
【符号の説明】
１　中空胴体
２　把持用ハンドル
３　キャップ
４　胴体１の先端
５　胴体１の後端
６　内側フランジ
７　液体注入用器体
８　液体注入用器体７の入口開口部
９　液体注入用器体７の出口開口部
１０　液体注入口
１１　キャップ
１２　回転軸
１３　面板
１４　パッキング
１５　金属製スネークチューブ
１６　締具
１７　スプリングワイヤ
１８　切込溝
１９　スカート
２０　導入切削用頭部
２１　ピン孔
２２　連結子
２３　切削鰭板
２４　管内面切削用胴体
２５　ピン孔
２６　ピン
２７　ピン孔
２８　固定子
２９　ピン孔
３０　ピン
３１　軸端
３２　電気ドリル
Ａ　男子小便器排便管
Ｂ　横引管
Ｃ　清掃区間
【図１】
2004042002.tif 000003
【図２】
2004042002.tif 000004
【図３】
2004042002.tif 000005
【図４】
2004042002.tif 000006
【図５】
2004042002.tif 000007
【図６】
2004042002.tif 000008
【図７】
2004042002.tif 000009
【図８】
2004042002.tif 000010